【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
第１の発光素子、第２の発光素子、第３の発光素子、および第４の発光素子を有する発光装置であって、
前記第１の発光素子は、第１の発光層と、第２の発光層と、電荷発生層と、を有し、
前記第２の発光素子は、前記第１の発光層と、前記第２の発光層と、前記電荷発生層と、を有し、
前記第３の発光素子は、前記第１の発光層と、前記第２の発光層と、前記電荷発生層と、を有し、
前記第４の発光素子は、前記第１の発光層と、前記第２の発光層と、前記電荷発生層と、を有し、
前記電荷発生層は、前記第１の発光層と、前記第２の発光層との間に設けられ、
前記第１の発光層は、ピレン骨格に二つのベンゾ［ｂ］ナフト［１，２−ｄ］フラニルアミン骨格がそれぞれ独立に結合した構造を有する有機化合物を有し、
前記第２の発光層は、燐光発光物質を含み、
前記第１の発光素子は、青色発光することができる機能を有し、
前記第２の発光素子は、緑色発光することができる機能を有し、
前記第３の発光素子は、赤色発光することができる機能を有する発光装置。
【請求項２】
請求項１において、
前記二つのベンゾ［ｂ］ナフト［１，２−ｄ］フラニルアミン骨格は、それぞれ前記ピレン骨格の１位および６位に結合している発光装置。
【請求項３】
請求項１または請求項２において、
前記二つのベンゾ［ｂ］ナフト［１，２−ｄ］フラニルアミン骨格における窒素原子は、それぞれ独立に、ベンゾ［ｂ］ナフト［１，２−ｄ］フラニル基の６位または８位と結合している発光装置。
【請求項４】
第１の発光素子、第２の発光素子、第３の発光素子、および第４の発光素子を有する発光装置であって、
前記第１の発光素子は、第１の発光層と、第２の発光層と、電荷発生層と、を有し、
前記第２の発光素子は、前記第１の発光層と、前記第２の発光層と、前記電荷発生層と、を有し、
前記第３の発光素子は、前記第１の発光層と、前記第２の発光層と、前記電荷発生層と、を有し、
前記第４の発光素子は、前記第１の発光層と、前記第２の発光層と、前記電荷発生層と、を有し、
前記電荷発生層は、前記第１の発光層と、前記第２の発光層との間に設けられ、
前記第１の発光層は、下記式（Ｇ１）で表される第１の有機化合物と、第２の有機化合物と、を有し、
前記第２の発光層は、燐光発光物質を含み、
前記第１の発光素子は、青色発光することができる機能を有し、
前記第２の発光素子は、緑色発光することができる機能を有し、
前記第３の発光素子は、赤色発光することができる機能を有する発光装置。
【化１】
2017010918.tif 000001
（但し、式（Ｇ１）において、Ａｒ１およびＡｒ２は、それぞれ独立に、置換または無置換の環を形成する炭素数が６〜１３のアリール基を表し、Ｒ１〜Ｒ８、Ｒ１０〜Ｒ１８およびＲ２０〜Ｒ２８は、それぞれ独立に、水素、置換または無置換の炭素数１〜６のアルキル基、置換または無置換の炭素数１〜６のアルコキシ基、シアノ基、ハロゲン、置換または無置換の炭素数１〜６のハロアルキル基、置換または無置換の炭素数６〜１０のアリール基のいずれかを表す。）
【請求項５】
第１の発光素子、第２の発光素子、第３の発光素子、および第４の発光素子を有する発光装置であって、
前記第１の発光素子は、第１の発光層と、第２の発光層と、電荷発生層と、を有し、
前記第２の発光素子は、前記第１の発光層と、前記第２の発光層と、前記電荷発生層と、を有し、
前記第３の発光素子は、前記第１の発光層と、前記第２の発光層と、前記電荷発生層と、を有し、
前記第４の発光素子は、前記第１の発光層と、前記第２の発光層と、前記電荷発生層と、を有し、
前記電荷発生層は、前記第１の発光層と、前記第２の発光層との間に設けられ、
前記第１の発光層は、下記式（Ｇ２）で表される第１の有機化合物と、第２の有機化合物と、を有し、
前記第２の発光層は、燐光発光物質を含み、
前記第１の発光素子は、青色発光することができる機能を有し、
前記第２の発光素子は、緑色発光することができる機能を有し、
前記第３の発光素子は、赤色発光することができる機能を有する発光装置。
【化２】
2017010918.tif 000002
（但し、式（Ｇ２）において、Ｒ１〜Ｒ８およびＲ２９〜Ｒ３８は、それぞれ独立に、水素、置換または無置換の炭素数１〜６のアルキル基、置換または無置換の炭素数１〜６のアルコキシ基、シアノ基、ハロゲン、置換または無置換の炭素数１〜６のハロアルキル基、置換または無置換の炭素数６〜１０のアリール基のいずれかを表す。）
【請求項６】
第１の発光素子、第２の発光素子、第３の発光素子、および第４の発光素子を有する発光装置であって、
前記第１の発光素子は、第１の発光層と、第２の発光層と、を有し、
前記第２の発光素子は、前記第１の発光層と、前記第２の発光層と、を有し、
前記第３の発光素子は、前記第１の発光層と、前記第２の発光層と、を有し、
前記第４の発光素子は、前記第１の発光層と、前記第２の発光層と、を有し、
前記第１の発光層は、蛍光発光物質を含み、
前記蛍光発光物質は、トルエン溶液における発光スペクトルのピーク波長が４４０ｎｍ乃至４６０ｎｍに存在し、
前記第２の発光層は、燐光発光物質を含み、
前記第１の発光素子は、青色発光することができる機能を有し、
前記第２の発光素子は、緑色発光することができる機能を有し、
前記第３の発光素子は、赤色発光することができる機能を有する発光装置。
【請求項７】
第１の発光素子、第２の発光素子、第３の発光素子、および第４の発光素子を有する発光装置であって、
前記第１の発光素子は、第１の発光層と、第２の発光層と、を有し、
前記第２の発光素子は、前記第１の発光層と、前記第２の発光層と、前記電荷発生層と、を有し、
前記第３の発光素子は、前記第１の発光層と、前記第２の発光層と、前記電荷発生層と、を有し、
前記第４の発光素子は、前記第１の発光層と、前記第２の発光層と、前記電荷発生層と、を有し、
前記電荷発生層は、前記第１の発光層と、前記第２の発光層との間に設けられ、
前記第１の発光層は、蛍光発光物質を含み、
前記蛍光発光物質は、トルエン溶液における発光スペクトルのピーク波長が４４０ｎｍ乃至４６０ｎｍに存在し、
前記第２の発光層は、燐光発光物質を含み、
前記第１の発光素子は、青色発光することができる機能を有し、
前記第２の発光素子は、緑色発光することができる機能を有し、
前記第３の発光素子は、赤色発光することができる機能を有する発光装置。
【請求項８】
請求項６または請求項７において、
前記蛍光発光物質のトルエン溶液における発光スペクトルの半値幅が２０ｎｍ以上５０ｎｍ以下である発光装置。
【請求項９】
請求項６乃至請求項８のいずれか一項において、
前記第１の発光素子の色度が、ｘｙ色度座標においてｘ＝０．１３以上０．１７以下且つｙ＝０．０３以上０．０７以下である発光装置。
【請求項１０】
請求項１乃至請求項９のいずれか一項において、
前記第２の発光層は、黄色発光することができる機能を有する発光装置。
【請求項１１】
請求項１乃至請求項１０のいずれか一項において、
前記発光装置におけるパネルサイズを４．３インチ、縦横比を１６：９、表示面積を５１ｃｍ２、開口率を３５％と仮定し、
ｘｙ色度座標における色度が（０．３１３，０．３２９）の光を、輝度３００ｃｄ／ｍ２で得た場合の前記発光装置の駆動ＦＥＴを含まない消費電力が１ｍＷ／ｃｍ２以上７ｍＷ／ｃｍ２以下である発光装置。
【請求項１２】
請求項１乃至請求項１１のいずれか一項に記載の発光装置と、
接続端子、または、操作キーと、
を有する電子機器。
【請求項１３】
請求項１乃至請求項１１のいずれか一項に記載の発光装置と、筐体と、
を有する照明装置。